(57)【要約】【課題】  ユーザが手軽くサイクロン分離装置からゴミカップを着脱するよう構造が改善され、モータによって発生された吸込力をサイクロン分離装置を介して直接に伝達できるようシーリングの役割を兼ねるゴミカップ着脱装置を提供する。【解決手段】  本発明に係るゴミカップ着脱装置は内部が貫通され流体が出入りするシール部材と、該シール部材を取り囲むレバー部材と、前記レバー部材の運動をガイドするガイド部材とを含み、前記レバー部材が前記ガイド部材に沿って動きに合わせて前記レバー部材が前記シール部材を取り囲みながら上下動する。【選択図】      図２
2005111247.tif 000002
【特許請求の範囲】
【請求項１】
内部が貫通され流体が出入りするシール部材と、
該シール部材を取り囲むレバー部材と、
該レバー部材の運動をガイドするガイド部材とを含み、
前記レバー部材が前記ガイド部材に沿って動きに合わせて前記レバー部材が前記シール部材を取り囲みながら上下運動することを特徴とするゴミカップ着脱装置。
【請求項２】
前記シール部材は、
流入口及び排出口が形成された円筒形のシーリングボディと、
前記流入口の周囲に形成された第１シーリング部と、
前記排出口の周囲に形成された第２シーリング部と、
前記レバー部材と結合するよう前記シーリングボディに形成された結合レールとを含むことを特徴とする請求項１に記載のゴミカップ着脱装置。
【請求項３】
前記第１シーリング部と前記第２シーリング部は前記シーリングボディの外周面に突出して形成されることを特徴とする請求項２に記載のゴミカップ着脱装置。
【請求項４】
前記レバー部材は、
内部に貫通孔が形成されるレバーボディと、
該レバーボディの貫通孔の周囲に形成され、前記シール部材の前記結合レールと結合するレール突起とを含み、前記レバーボディの外側にはハンドルが形成されることを特徴とする請求項２に記載のゴミカップ 着脱装置。
【請求項５】
前記レバー部材は、
前記貫通孔の周りに形成される内側壁及び 
前記レバーボディの内部に形成された複数のレール部とをさらに含むことを特徴とする請求項４に記載のゴミカップ着脱装置。
【請求項６】
前記複数のレール部は、
前記内側壁に沿って形成される複数の第１レールと、
該第１レールと前記レバーボディの外側壁との間に形成される複数の第２レールとを含むことを特徴とする請求項５に記載のゴミカップ着脱装置。
【請求項７】
前記第１レール及び前記第２レールは円周方向に傾斜して形成され、前記第２レールは内部が貫通されることを特徴とする請求項６に記載のゴミカップ着脱装置。
【請求項８】
前記第２レールの周りに第２レール壁が形成されることを特徴とする請求項７に記載のゴミカップ着脱装置。
【請求項９】
前記ガイド部材は、
前記第１レールの傾斜方向と対向して形成され、円筒形の側壁に形成された複数個の第１ガイド突起と、
前記第２レールに挿設された複数の第２ガイド突起とを含むことを特徴とする請求項６に記載のゴミカップ着脱装置。
【請求項１０】
前記第１ガイド突起は斜め傾斜スタイルに形成されることを特徴とする請求項９に記載のゴミカップ着脱装置。
【請求項１１】
前記第２ガイド突起の一側には前記第２ガイド突起が前記第２レールから離脱することを防止する離脱防止部材が形成されることを特徴とする請求項９に記載のゴミカップ着脱装置。
【請求項１２】
前記離脱防止部材はフック状に形成されることを特徴とする請求項１１に記載のゴミカップ着脱装置。
【発明の詳細な説明】
【技術分野】
【０００１】
本発明はサイクロン分離装置のゴミカップ着脱装置に係り、さらに詳しくは着脱装置のレバー部材がモータカバーに形成されたガイド部材に沿って動きに合わせて前記レバー部材が前記シール部材を取り囲みながら上下動し、これによってサイクロン分離装置のゴミカップを着脱する着脱装置に関する。
【背景技術】
【０００２】
通常、サイクロン分離装置は遠心力によって塵埃を含んだ空気から塵埃を分離して浄化された空気を排出する装置であって、分離された塵埃を捕集するためにゴミカップを備える。そして、このようなゴミカップはサイクロン分離装置と着脱自在に結合する。
【０００３】
また、一般に従来のサイクロン分離装置は、ゴミカップがサイクロン分離装置に着脱する際、前記ゴミカップがサイクロン分離装置にラッチ結合され、前記ゴミカップに形成された取っ手を用いて収納式でゴミカップを着脱するようになる。
【０００４】
図１は従来の収納式ゴミカップ着脱方式を有するサイクロン分離装置の概略図である。図１を参照するに、ゴミカップの収納式着脱方式を有する従来のサイクロン集塵装置を有する真空掃除機は、真空掃除機本体５０及び被掃除面の埃やゴミを収集するブラシ４３を含む。
【０００５】
真空掃除機本体５０は、サイクロン分離装置３０及びサイクロン分離装置３０に着脱自在に結合するゴミカップ４０及び真空掃除機に吸込力を提供するモータ４１を含む。サイクロン分離装置３０は、サイクロン本体２８及びサイクロン本体２８内に設けられたゴミ分離用グリル３７を含む。
【０００６】
サイクロン本体２８の一側には、塵埃を含んだ空気が流入される流入口３１及び塵埃が分離された空気が排出される排出口３２が形成され、流入口３１はブラシ４３とフレキシブルホース４５を介して連結される。このようなサイクロン分離装置３０は一般の公知技術なので、これに対する詳しい説明は省略する。
【０００７】
そして、ゴミ分離用グリル３７と排出口３２との間にはフィルタ２９が備えられる。
【０００８】
ゴミカップ４０は、サイクロン本体２８にラッチ部材３４によってラッチ結合され、ゴミカップ４０の外側には収納取っ手３９が形成される。
【０００９】
排出口３２は、真空掃除機本体５０に設けられたモータ４１と連結管３５を通して連結される。
【００１０】
このような構成を有する従来のサイクロン分離装置及びゴミカップを具備した真空掃除機の作動を説明すれば次の通りである。
【００１１】
まず、真空掃除機本体５０に設けられたモータ４１に吸込力が発生すれば、ブラシ４３を介して被掃除面の塵埃を含んだ空気を吸い込む。このように吸い込まれた空気はフレキシブルホース４５を介して流入口３１を経由してサイクロン本体２８に接線方向に流入される。
【００１２】
流入された空気は旋回気流を形成しつつ、遠心力によって埃やゴミはサイクロン本体２８から分離され、このように分離された埃やゴミはゴミカップ４０に捕集される。そして、埃やゴミが分離された空気はゴミ分離用グリル３７を通してフィルタ２９を経由して排出口３２に排出される。この際、ゴミ分離用グリル３７は分離された埃やゴミが再び排出口３２に排出されることを防止し、フィルタ２９は埃やゴミが分離された空気から再び微細な塵埃を分離する。
【００１３】
このように排出口３２を介して排出された空気は連結管３５を介してモータ４１を経由して真空掃除機本体５０に形成された排出グリル５５を介して外部に排出する。この際、ゴミカップ４０に一定量以上の塵埃が捕集されれば、ユーザはサイクロン本体２８からラッチ部材３４を用いてゴミカップ４０を取外す。
【００１４】
それから、ゴミカップ４０の取っ手３９を用いてサイクロン本体２８及び真空掃除機本体５０からゴミカップ４０を収納式で分離して塵埃を捨てた後再びサイクロン本体２８及び真空掃除機本体５０に結合して使う。
【００１５】
このように収納方式でサイクロン本体２８及び真空掃除機本体５０からゴミカップ４０を取外すことは次のような問題点がある。
【００１６】
まず、サイクロン本体２８から分離された一定量の塵埃がゴミカップ４０に捕集された後ゴミカップ４０を取外す過程において、ゴミカップ４０に形成された取っ手３９だけを用いてゴミカップ４０をサイクロン本体２８から分離及び結合する過程が容易でない。
【００１７】
また、周期的にゴミカップ４０を分解及び組み立てる過程において吸い込まれた塵埃がユーザの手や服などについて衛生上のトラブルを引き起こす場合もある。
【００１８】
そして、このような構造のゴミカップ４０を有するサイクロン分離装置３０は流路の方向を考慮する際、排出口３２に連結された連結管３５がモータ４１に迂回して連結されるため、それだけモータ４１から発生した吸込力がサイクロン分離装置３０に直接に伝達し難い。これにより減少された吸込力ほどサイクロン本体２８に設けられたフィルタ２９にも吸込力がよく伝達されなくて微細塵埃の分離及び浄化作用も容易でなくなる。
【発明の開示】
【発明が解決しようとする課題】
【００１９】
本発明は前述したような従来の問題点を解決するために案出されたもので、その目的はユーザが手軽くサイクロン分離装置からゴミカップを着脱するよう構造が改善され、モータによって発生された吸込力をサイクロン分離装置を介して直接に伝達できるようシーリングの役割を兼ねるゴミカップ着脱装置を提供することにある。
【課題を解決するための手段】
【００２０】
前述した目的を達成するために本発明に係るサイクロン分離装置のゴミカップ着脱装置は、内部が貫通され流体が出入りするシール部材と、該シール部材を取り囲むレバー部材と、該レバー部材の運動をガイドするガイド部材とを含み、前記レバー部材が前記ガイド部材に沿って動きに合わせて前記レバー部材が前記シール部材を取り囲みながら上下動する。
【００２１】
そして、前記シール部材は流入口及び排出口が形成された円筒形のシーリングボディと、前記流入口の周りに形成された第１シーリング部と、前記排出口の周りに形成された第２シーリング部と、前記レバー部材と結合するよう前記シーリングボディに形成された結合レールとを含むことが良い。
【００２２】
この際、前記第１シーリング部と前記第２シーリング部は前記シーリングボディの外周面に突出して形成され、前記レバー部材は内部に貫通孔が形成されたレバーボディと、前記レバーボディの貫通孔の周りに形成され前記シール部材の前記結合レールと結合するレール突起とを含み、前記レバーボディの外側にはハンドルが形成されることが望ましい。
【００２３】
そして、前記レバー部材は前記貫通孔の周りに形成された内側壁及び前記レバーボディの内部に形成された複数のレール部をさらに含むことが良く、前記複数のレール部は前記内側壁に沿って形成された複数の第１レールと、前記第１レールと前記レバーボディの外側壁との間に形成された複数の第２レールとを含むことが良い。
【００２４】
この際、前記第１レール及び前記第２レールは円周方向に傾斜して形成され、前記第２レールは内部が貫通され、前記第２レールの周りに第２レール壁が形成されることが望ましい。
【００２５】
そして、前記ガイド部材は前記第１レールの傾斜方向と対応して形成され、円筒形の側壁に形成された複数個の第１ガイド突起と、前記第２レールに挿設された複数の第２ガイド突起とを含むことが良い。
【００２６】
また、前記第１ガイド突起は斜め傾斜スタイルに形成され、前記第２ガイド突起の一側には前記第２ガイド突起が前記第２レールから離脱することを防止する離脱防止部材が形成でき、前記離脱防止部材はフック状に形成されることが望ましい。
【発明の効果】
【００２７】
以上述べたような本発明によれば、ゴミカップの着脱装置が設けられユーザが手軽く前記ゴミカップをサイクロン分離装置から着脱することができる。
【００２８】
そして、前記ゴミカップを前記サイクロン分離装置に結合する際、前記ゴミカップの着脱装置がシーリングの役割まで兼ねてモータの吸込力の漏れを防止してサイクロン分離装置の集塵性能がアップする。
【発明を実施するための最良の形態】
【００２９】
以下、図２に基づき本発明に係るゴミカップ着脱装置が設けられたサイクロン分離装置を説明する。参考に、図２は本発明に係るゴミカップの着脱装置が作動されサイクロン分離装置にゴミカップが結合されることを示す。
【００３０】
サイクロン分離装置９０はサイクロン本体１００、ゴミカップ１１０を含む。サイクロン本体１００は吸い込まれた空気から埃やゴミを遠心分離して排出し、一側には埃やゴミを含んだ空気が流入できる流入口９９が形成され、本体１００の内部にはゴミ分離用グリル１１３が形成される。
【００３１】
そして、ゴミ分離用グリル１１３の下部にはゴミ逆流防止部材１１５が設けられ、ゴミ逆流防止部材１１５はサイクロン本体の内側壁１１７と一定間隔離隔して設置される。
【００３２】
ゴミカップ１１０はサイクロン本体１００の下部に着脱自在に設けられ、ゴミカップ１１０の内部にはゴミ分離用グリル１１３と連通する排出路１１１が形成される。
【００３３】
そして、ゴミカップ１１０の排出路１１１の周りにはサイクロン本体１００から分離された埃やゴミが捕集される空間が形成される。
【００３４】
フィルタケース１２０はゴミカップ１１０の下部に着脱自在に設けられ、フィルタケース１２０の内側にはフィルタアセンブリ１２１が設けられる。そして、フィルタケース１２０は着脱装置１４０と固定結合される。
【００３５】
フィルタアセンブリ１２１は排出路１１１を介して流入された空気から微細埃やゴミを再び分離する役割を果たし、排出路１１１と同一軸上に設けられる。モータカバー１３０の内部にはサイクロン本体１００に吸込力を提供するモータ(図示せず)が設けられる。
【００３６】
ゴミカップ着脱装置１４０はフィルタケース１２０及びモータカバー１３０との間に設けられ、フィルタケース１２０から排出された空気をモータチャンバー１３１にガイドする。
【００３７】
この際、着脱装置１４０はフィルタケース１２０とモータチャンバー１３１との間に流れる流体のシーリングの役割を果たしながらもフィルタケース１２０を上下向きに運動自在にする。
【００３８】
以下、本発明の望ましい実施例によるゴミカップ着脱装置を図３ないし図５を参照して詳述する。
【００３９】
図３は本発明に係るゴミカップ着脱装置の要部の分解斜視図、図４は本発明に係るゴミカップ着脱装置のレバー部材の底面斜視図、図５は本発明に係るゴミカップ着脱装置のシール部材の断面図である。
【００４０】
同図を参照すれば、本発明に係るゴミカップ着脱装置１４０は、シール部材１５０、レバー部材１６０及びモータカバー１３０に形成されたガイド部材１９０を含む。
【００４１】
シール部材１５０は流体が出入り可能なように内部が貫通されたシーリングボディ１５５、第１シーリング部１５１、第２シーリング部１５３及び結合レール１５７を含む。
【００４２】
シーリングボディ１５５は円筒形に形成され、上部にフィルタケース１２０と結合する流入口１５２及び下部にはモータカバー１３０と結合する排出口１５４が形成される(図５参照)。
【００４３】
そして、第１シーリング部１５１は流入口１５２の周りに形成され、フィルタケース１２０から排出される空気をシーリングし、第２シーリング部１５３は排出口１５４の周りに形成されモータカバー１３０に排出される空気をシーリングする。
【００４４】
また、第１シーリング部１５１と第２シーリング部１５３はシーリングボディ１５５の外周面に突出して形成される。そして、シール部材１５０は弾性力のある材質で構成され、望ましくはゴム材質で形成される。
【００４５】
結合レール１５７はシーリングボディ１５５の外周面に形成され、シール部材１５０の結合レール１５７はレバー部材１６０に形成されたレール突起１６３と結合し、この際レバー部材１６０がシール部材１５０を取り囲む。レバー部材１６０はレバーボディ１６１、レール突起１６３、複数のレール部１７１を含む。
【００４６】
レバーボディ１６１には円形の貫通孔１６２が形成され、レール突起１６３は貫通孔１６２の周囲に形成された内側壁１６４に沿って貫通孔１６２の中心に向かって突出して形成され、シール部材１５０の結合レール１５７と結合する。
【００４７】
そして、レバーボディ１６１の外側にはハンドル１７９が形成され、レバー部材１６０を動かせるようになる。
【００４８】
複数のレール部１７１は内側壁１６４とレバーボディ１６１の外側壁１７３との間に形成され、複数の第１レール１６７及び複数の第２レール１６９を含む。この際、内側壁１６４と外側壁１７３は円形に形成される。
【００４９】
それぞれの第１レール１６７は内側壁１６４に沿って円周方向に斜め傾斜スタイルに形成される。それぞれの第２レール１６９は第１レール１６７とレバーボディ１６１の外側壁１７３との間から円周方向に斜め傾斜スタイルに内部が貫通して形成され、内部が貫通された第２レール１６９の周りに第２レール壁１６５が形成される。
【００５０】
図３に示した通り、ガイド部材１９０はレバー部材１６０の運動をガイドし、シール部材１５０の内部を流れる流体に吸込力を提供するモータ(図示せず)が具備されるモータカバー１３０に形成される。
【００５１】
ガイド部材１９０は複数個の第１ガイド突起１９１及び複数個の第２ガイド突起１９３を含む。第１ガイド突起１９１はレバー部材１６０の第１レール１６７の傾斜方向と対応して形成され、円筒形の側壁１９２上で斜め傾斜スタイルに突出して形成される。
【００５２】
第１ガイド突起１９１は側壁１９２上の円周に沿って２個以上形成されうる。そして第２ガイド突起１９３はレバー部材１６０の第２レール１６９の内部貫通孔に挿設され、第２ガイド突起１９３の一側には第２ガイド突起１９３がレバー部材１６０の第２レール１６９から離脱することを防止する離脱防止部材１９７が形成される。
【００５３】
離脱防止部材１９７はフック状に形成され、必要に応じては第２ガイド突起１９３が第２レール１６９から離脱されることを防止できるようにするロック装置など多様に構成することができる。
【００５４】
以下、図２ないし図６を参照して、本発明に係るゴミカップ着脱装置１４０の作動を説明する。参考に、図６は本発明に係るゴミカップ着脱装置１４０のレバー部材１６０が作動されサイクロン分離装置９０のゴミカップが分離されることを示す図である。
【００５５】
真空掃除機のモータチャンバー１３１に位置したモータ(図示せず)から吸込力が発生すれば、サイクロン本体１００の流入口９９に埃やゴミを含んだ空気が流入される。そして、サイクロン本体１００で塵埃を含んだ空気が旋回気流を形成しつつ遠心力によってゴミや埃が分離される。
【００５６】
このように分離された埃やゴミはゴミカップ１１０に捕集され、埃やゴミが分離された空気はゴミ分離用グリル１１３を通してゴミカップ１１０に形成された排出路１１１を経由してフィルタケース１２０に排出される。
【００５７】
フィルタケース１２０では内部に設けられたフィルタアセンブリ１２１を介して微細埃やゴミを分離して、分離された微細埃やゴミはフィルタケース１２０の内部に捕集され、浄化された空気は着脱装置１４０に導かれる。
【００５８】
ここで、着脱装置１４０のシール部材１５０を介してモータカバー１３０に浄化された空気が排出され、再びモータカバー１３０では浄化された空気を外部に放出する。
【００５９】
この際、ゴミカップ１１０やフィルタケース１２０に一定量以上の塵埃が捕集されれば、フィルタケース１２０やゴミカップ１１０を取外して内部に捕集された塵埃を捨てる必要がある。この際、ユーザが着脱装置１４０のシール部材１５０に形成されたハンドル１７９を右側に押すと、着脱装置１４０のレバー部材１６０に形成された複数のレール部１７１がガイド部材１９０に形成された複数の突起１９１、１９３に沿って密着して上昇回転するようになる。
【００６０】
すなわち、複数のレール部１７１で第１レール１６７及び第２レール１６９は傾斜して形成されるため、これに対応するガイド部材１９０の第１ガイド突起１９１と第２ガイド突起１９３はそれぞれの第１レール１６７と第２レール１６９に沿って密着して回転しつつ、図２のように上昇したり、あるいは図６のように降下するようになる。
【００６１】
そして、シール部材１５０に形成された結合レール１５７とレバー部材１６０に形成されたレール突起１６３が結合してレバー部材１６０の回転をガイドする。
【００６２】
従って、全体的に見れば、レバー部材１６０を右側や左側に動かすと、レバー部材１６０がモータカバー１３０上に形成されたガイド部材１９０に沿って上下動する。
【００６３】
このようにレバー部材１６０がガイド部材１９０に沿って上下動すれば、このような運動はシール部材１５０を取り囲みながらガイド運動(一定方向に沿って回転しつつ、結局上下に動くこと)がなされるため、シール部材１５０はフィルタケース１２０とモータカバー１３０との間をシーリングすることができるようになり、よってゴミカップ着脱装置１４０の上部に置かれたゴミカップ１１０及びフィルタケース１２０が上下動して、サイクロン本体１００からゴミカップ１１０が取外されたり結合される。
【００６４】
この際、フィルタケース１２０はゴミカップ着脱装置１４０に固着されるため、結局ゴミカップ１１０だけがサイクロン本体１００に着脱される。
【００６５】
これは図６に示した通り、着脱装置１４０のハンドル１７９を左側に押すと、フィルタケース１２０が降下してサイクロン本体１００からゴミカップ１１０が離脱され、図２のようにハンドル１７９を右側に押すと、フィルタケース１２０及びゴミカップ１１０が上昇してサイクロン本体１００に結合される。
【００６６】
ゴミカップ１１０をフィルタケース１２０とサイクロン本体１００から分離するので、ユーザはゴミカップ１１０の塵埃を分離することができ、またゴミカップ１１０が分離されたフィルタケース１２０内部の微細塵埃などが分離できるようになる。
【００６７】
このように塵埃を分離した後再びゴミカップ１１０をサイクロン本体１００とフィルタケース１２０との間に装着した後レバー部材１６０を再び右側に押すと、ゴミカップ１１０はサイクロン本体１００とフィルタケース１２０との間に結合される。従って、ユーザはゴミカップ着脱装置１４０を用いて手軽くゴミカップ１１０をサイクロン分離装置９０から着脱して使用できるようになる。
【００６８】
以上、本発明を本発明の原理を例示するための望ましい実施例について示しかつ説明したが、本発明はそのように示しかつ説明されたままの構成及び作用に限られない。むしろ、特許請求の範囲の思想及び範疇を逸脱せず本発明に対する多様な変更及び修正が可能なことを当業者はよく理解できろう。従って、そのような適切な変更及び修正と均等物も本発明の範囲に属することと見做されるべきである。 
【産業上の利用可能性】
【００６９】
本発明はサイクロン分離装置に使われるゴミカップに適用でき、遠心力を用いて塵埃を分離する真空掃除機にも適用できる。
【図面の簡単な説明】
【００７０】
【図１】従来の収納式ゴミカップ着脱方式を有するサイクロン分離装置の概略図である。
【図２】本発明に係るゴミカップ着脱装置を備えたサイクロン分離装置の断面図である。
【図３】本発明に係るゴミカップ着脱装置の要部の分解斜視図である。
【図４】本発明に係るゴミカップ着脱装置のレバー部材の底面斜視図である。
【図５】本発明に係るゴミカップ着脱装置のシール部材の断面図である。
【図６】本発明に係るゴミカップ着脱装置が作動されサイクロン分離装置のゴミカップが分離される様子を示す図である。
【符号の説明】
【００７１】
９０    サイクロン分離装置
９９、１５２  流入口
１００  サイクロン本体
１１０  ゴミカップ
１１１  排出路
１１３  ゴミ分離用グリル
１１５  ゴミ逆流防止部材
１１７、１６４  内側壁
１２０  フィルタケース
１２１  フィルタアセンブリ
１３０  モータカバー
１３１  モータチャンバー
１４０  ゴミカップ着脱装置
１５０  シール部材
１５１  第１シーリング部
１５３  第２シーリング部
１５４  排出口
１５５  シーリングボディ
１６０  レバー部材
１６１  レバーボディ
１６２  貫通孔
１６３  レール突起
１６５  第２レール壁
１６７  第１レール
１６９  第２レール
１７１  レール部
１７３  外側壁
１７９  ハンドル
１９０  ガイド部材
１９１  第１ガイド突起
１９２  側壁
１９３  第２ガイド突起
１９７  離脱防止部材
【図１】
2005111247.tif 000003
【図２】
2005111247.tif 000004
【図３】
2005111247.tif 000005
【図４】
2005111247.tif 000006
【図５】
2005111247.tif 000007
【図６】
2005111247.tif 000008